(57)【要約】本発明は、ブラシが植毛されたヘッダーが歯の形状に沿って上下左右に弾性移動しながら、歯とブラシの接触面積を増大させ、摩擦力をさらに高め、また、歯ブラシの使用者によって歯に無理に加わる圧力を調節して、ブラッシングによる歯の摩耗及び歯周組織の損傷を最小化し、歯周疾患のある患者に有用なバス法ブラッシングをより容易に用いることができるようにして、歯茎の清潔及び歯周組織の健康に役に立つと同時に、ブラッシングの効果の極大化及び口腔衛生にさらに寄与することができるようにし、製作の利便性も極大化させた歯ブラシを提供しようとするものである。すなわち、本発明は、通常の歯ブラシ（１）において、ヘッダー（４）の上部に複数個形成される弾性片（５）を備え、前記弾性片（５）の上部にブラシ（３）が植毛されたことを特徴とする。また、前記ヘッダー（４）の上部には、選択的に固定型ブラシ（３）も一部植毛できるようにし、前記弾性片（５）は、円弧状にヘッダー（４）の上部に形成され、軟質合成樹脂材で製作されて上下左右に弾性移動が可能なようにしたものである。
2018509275.tif 000002
【特許請求の範囲】
【請求項１】
柄（２）の先端部にヘッダー（４）が形成され、前記ヘッダー（４）にブラシ（３）が植毛される通常の歯ブラシ（１）において、
前記ヘッダー（４）の上部に複数個形成される弾性片（５）を備え、
前記弾性片（５）の上部にブラシ（３）が植毛されたことを特徴とする、歯ブラシ。
【請求項２】
柄（２）の先端部にヘッダー（４）が形成され、前記ヘッダー（４）にブラシ（３）が植毛される通常の歯ブラシ（１）において、
前記ヘッダー（４）の上部に植毛される固定型ブラシ（３）と、
前記ヘッダー（４）の上部に固定型ブラシ（３）と隣接して複数個形成される弾性片（５）とを備え、
前記弾性片（５）の上部にブラシ（３）が植毛されたことを特徴とする、歯ブラシ。
【請求項３】
柄（２）の先端部にヘッダー（４）が形成され、前記ヘッダー（４）にブラシ（３）が植毛される通常の歯ブラシ（１）において、
前記ヘッダー（４）の上部の結合部（４ａ）に別途に製作されて固定部（５ａ）によって固定される弾性片（５）を備え、
前記弾性片（５）の上部にブラシ（３）が植毛されたことを特徴とする、歯ブラシ。
【請求項４】
前記弾性片（５）は、円弧状、または傾斜部及び水平部を有するようにヘッダー（４）の上部に形成され、軟質合成樹脂材で製作されて上下左右に弾性移動が可能なようにしたことを特徴とする、請求項１乃至３のいずれか１項に記載の歯ブラシ。
【発明の詳細な説明】
【技術分野】
【０００１】
本発明は、歯ブラシに関し、より詳細には、ブラシ（ｂｒｕｓｈ）が植毛されたヘッダーが歯の形状に沿って上下左右に弾性移動しながら、歯とブラシとの接触面積を増大させ、摩擦力をさらに高め、また、歯ブラシの使用者によって歯に無理に加わる圧力を調節して、ブラッシングによる歯の摩耗及び歯周組織の損傷を最小化し、歯周疾患のある患者に有用なバス法ブラッシングをより容易に用いることができるようにして、歯茎の清潔及び歯周組織の健康に役に立つと同時に、ブラッシングの効果の極大化及び口腔衛生にさらに寄与することができ、製作の利便性も提供できるようにした歯ブラシに関する。
【背景技術】
【０００２】
通常使用される歯ブラシは、平板状からなるヘッダーに合成樹脂材のブラシが一定の間隔で植毛されており、歯の屈曲面に沿って密着性を高めてブラッシングの効果を極大化できるように、ブラシの長さを互いに異ならせたり、直径を太くしたり狭くしたりするなど、様々な方案が講じられているのが現状である。
【０００３】
そして、従来の歯ブラシは、ブラシが平板状のヘッダーに直立して植毛されることによって、ブラッシングを行うとき、歯の形状に沿ってブラシが変形できないため、接触面積が小さくて摩擦力も低下し、それにより、ブラッシングを行うときに歯の表面に均一にブラシの摩擦力が作用しないため、ブラッシングの効果が半減せざるを得なかった。
【０００４】
このような既存の歯ブラシの問題点を解決するために、本発明の発明者は、韓国登録特許第１０−０８１４１２７号、韓国登録特許第１０−１１８４３３４号、韓国登録特許第１０−１１８４３３７号、韓国登録特許第１０−１３２１５７１号、韓国登録特許第１０−１３８８９６７号、韓国登録実用新案第２０−０４６２６２１号など、既に多数の歯ブラシに対して特許及び実用新案登録を得ている。
【０００５】
しかし、このような既に登録された特許の場合、その部品数が多く、製作において手作業の過程が多いため、生産性の低下に加え、単価の高騰という問題を抱いており、このような問題点を解決するための手段が切実に要求されている。
【発明の概要】
【発明が解決しようとする課題】
【０００６】
本発明の歯ブラシが解決しようとする課題の一つは、ブラシが歯の形状に沿って上下左右に弾性移動しながら、歯とブラシとの接触面積を増大させ、摩擦力をさらに高めることによって、ブラッシングを効果的に行うことができる歯ブラシを提供することにある。
【０００７】
また、歯に無理に加わる圧力を調節して、ブラッシングによる歯の摩耗及び歯周組織の損傷を最小化し、歯周疾患のある患者に有用なバス法ブラッシングをより容易に用いることができるようにした歯ブラシを提供しようとするものである。
【０００８】
また、本発明は、その製作が容易であるため、生産性の向上及び原価低減の効果などを得ることができる歯ブラシを提供しようとするものである。
【課題を解決するための手段】
【０００９】
本発明に係る歯ブラシは、ヘッダー（ｈｅａｄｅｒ）の上面部に複数個の弾性片を形成し、前記弾性片の上部にブラシを植毛したことを特徴とする。
【００１０】
前記弾性片は、上下左右に弾性移動が可能なようにして、歯の形状に沿ってブラシが弾性移動しながら接触面積を最大化させ、摩擦力の増大によりブラッシングの効果を極大化できるようにしたことを特徴とする。
【００１１】
また、前記ヘッダーの上部に固定型ブラシも部分的に選択植毛して歯ブラシを構成したことを特徴とする。
【００１２】
また、前記弾性片は、ヘッダーの上部に円弧状などで弾性を有する軟質合成樹脂材で製作されたことを特徴とする。
【００１３】
また、前記ヘッダーと弾性片は、同一又は異なる材質で製作されてもよく、ヘッダーの上部に形成される結合部に、別途に製作された弾性片の固定部が様々な方法で固定又は嵌合固定され、前記弾性片の上部にブラシが植毛されたことを特徴とする。
【発明の効果】
【００１４】
本発明の様々な実施例による歯ブラシは、ヘッダーに複数個の弾性片を形成し、前記弾性片にブラシをそれぞれ植毛するようにして、歯の様々な形状に合わせて弾性片が上下左右に弾性移動しながらブラッシングを行うようにして、歯とブラシとの接触面積を極大化することによって、ブラッシングの効果を極大化することができ、歯ブラシの使用者によって歯に無理に加わる圧力を調節して、ブラッシングによる歯の摩耗及び歯周組織の損傷を最小化し、歯周疾患のある患者に有用なバス法ブラッシングをより容易に用いることができるようにして、歯茎の清潔及び歯周組織の健康に役に立つと同時に、口腔衛生にも寄与することができる。
【００１５】
そして、異形射出などで歯ブラシと弾性片を一体型に製作可能であるので、製作性の向上、原価低減などの効果も同時に得ることができる。
【００１６】
また、ヘッダーとブラシが植毛された弾性片とを別々に成形して嵌合固定することもできるので、ブラシの摩耗又は損傷時にブラシのみを交換することが可能であるため、経済的な利点も提供することができる。
【図面の簡単な説明】
【００１７】
【図１】本発明に係る歯ブラシの好ましい一実施例を示す斜視図である。
【図２】本発明に係る歯ブラシのヘッダー部位を抜粋して示す平面拡大図である。
【図３】本発明に係る歯ブラシのヘッダー部位を抜粋して示す断面拡大図である。
【図４】本発明に係る歯ブラシの他の実施例を示すヘッダー部位抜粋斜視図である。
【図５】本発明に係る歯ブラシの他の実施例のヘッダー部位を抜粋して示す平面拡大図である。
【図６】本発明に係る歯ブラシのヘッダー部位の作用状態の断面図である。
【図７】本発明に係る歯ブラシの更に他の実施例のヘッダー部位を抜粋して示す断面拡大図である。
【図８】本発明に係る歯ブラシの更に他の実施例のヘッダー部位を抜粋して示す断面拡大図である。
【発明を実施するための形態】
【００１８】
以下、添付の図面を参照して本発明を詳細に説明する。まず、図中、同一の構成要素又は部品は、できるだけ同一の参照符号を付するようにしていることに留意しなければならない。本発明を説明するにあたって、関連する公知の機能又は構成についての具体的な説明は、本発明の要旨を不明瞭にすることを避けるために省略する。
【００１９】
本明細書で使用される程度の用語、「約」、「実質的に」などは、言及された意味に固有の製造及び物質許容誤差が提示されるとき、その数値又はその数値に近接した意味で使用され、本発明の理解を助けるために正確又は絶対的な数値が言及された開示内容を非良心的な侵害者が不当に利用することを防止するために使用される。
【００２０】
図１は、本発明に係る歯ブラシの好ましい一実施例を示した斜視図である。
【００２１】
本発明の歯ブラシ１は、柄２の先端部に形成されてブラシ３が植毛されるヘッダー４の上面部に複数個の弾性片５を形成し、前記弾性片５にブラシ３を植毛して、歯の形状に沿ってブラシ３が上下左右に弾性移動できるようにしたことを特徴とする。
【００２２】
図２及び図３は、本発明に係る歯ブラシ１のヘッダー４部位を抜粋した平面図及び断面図である。
【００２３】
図示のように、ヘッダー４の上部に複数個の弾性片５を一定間隔で形成する。
【００２４】
前記弾性片５は、図示のように、歯ブラシ１の長手方向に対して直角方向、または歯ブラシ１の長手方向と平行な方向、または歯ブラシ１の長手方向に対して対角線方向などの様々な方向に形成することができ、その形状は、断面図に示したように、円弧状に上向きに曲がるように形成される。前記弾性片５の曲がる方向は、歯ブラシ１の長手方向の後側は勿論、前側などの様々な方向に曲がっても機能には問題がない。
【００２５】
必要に応じて、前記弾性片５は、傾斜部及び水平部を有する直線状に形成してもよく、ブラシ３をヘッダー４と直角方向に植毛することができればよい。
【００２６】
このような弾性片５は、ヘッダー４を硬質合成樹脂材で成形すると同時に、異形射出などの方法を通じて軟質合成樹脂材で成形するようにする。
【００２７】
硬質と軟質の合成樹脂材を異形射出する方法を用いてヘッダー４と弾性片５を一体に製造することが、製造工程の簡素化、原価低減などに好ましいが、必要に応じて、弾性を有する金属材などの様々な素材を使用して弾性片５を製作した後、ヘッダー４を合成樹脂材で射出成形するときにインサートさせて一体に射出成形してもよいことは勿論である。
【００２８】
前記弾性片５の上部にはブラシ３が植毛され、ブラッシングを行うときにブラシ３の端部が歯と歯茎に接触すると、歯と歯茎の形状に沿ってブラシ３が弾性移動しながらブラッシングを行うことができるようになる。
【００２９】
図４及び図５は、本発明に係る歯ブラシの他の実施例を示したヘッダー部位抜粋斜視図及び平面拡大図である。
【００３０】
これは、ヘッダー４の一部にのみ弾性片５を形成して、弾性片５の上部にブラシ３を植毛するようにし、弾性片５が形成されていないヘッダー４の残りの部分には、相対的に可変せずに固定された形態の固定型ブラシ３を植毛した場合を例示したものである。
【００３１】
すなわち、ヘッダー４に形成される弾性片５は、図１乃至図３に示したように、ヘッダー４の上面部全体に形成してもよく、図４及び図５に示したように、ヘッダー４の上面部に部分的に形成してもよいもので、図面に例示したように、ヘッダー４の長手方向の中央に固定型ブラシ３を植毛し、その周辺に沿って弾性片５を形成して、弾性移動するブラシ３を弾性片５の上部に植毛するようにする。
【００３２】
勿論、弾性片５の配置は、図示した例に限定されるものではなく、様々な形態に配置設計を変更してもよい。
【００３３】
図６は、本発明に係る歯ブラシのヘッダー部位の作用状態の断面図である。
【００３４】
歯ブラシ１を構成するヘッダー４の弾性片５に植毛されたブラシ３は、ブラッシングを行うとき、歯と歯茎の形状に沿って、使用者が柄２を介して歯に圧力を加えて近接させると、凹んだ部位はブラシ３が進入し、突出部位は、ブラシ３が弾性片５の弾性を克服して弾性反発しながら連接することによってブラッシングが行われ、これは、連続的なブラッシングが行われる場合、弾性片５に植毛されたブラシ３は、歯と歯茎の形状に沿って上下左右に弾性移動しながら摩擦表面積を増大させ、摩擦力を極大化させて、効率的なブラッシングを行うことができるようにするものである。
【００３５】
特に、歯茎に異常がある歯周疾患患者などの場合、歯と歯茎との間に歯垢や歯石がたまることを防止するために、歯ブラシを歯に対して約４５度の角度で進入させた後、左右振動を数回付与した後、上部に向かって磨いて上げる、いわゆる‘バス法’でブラッシングを行おうとする際、本発明の歯ブラシ１は、ブラシ３が弾性反発状態でヘッダー４の弾性片５に植毛されており、効果的なブラッシングが可能であるので、歯周疾患の予防効果を得ることができ、歯ブラシの使用者によって歯に無理に加わる圧力を調節して、ブラッシングによる歯の摩耗及び歯周組織の損傷を最小化することができる。
【００３６】
図７は、本発明に係る歯ブラシの更に他の実施例のヘッダー部位を抜粋した断面拡大図である。
【００３７】
すなわち、本発明の歯ブラシ１において、ヘッダー４部位に形成される弾性片５は、その材質がヘッダー４と同一又は異種の材質で構成されてもよく、これらのヘッダー４と弾性片５を別々に射出成形などの方法で製作した後、一体に固定することもできるようにする。
【００３８】
弾性片５を別途に射出成形する場合、ヘッダー４に結合部４ａを形成し、前記結合部４ａに弾性片５の固定部５ａが様々な方法で接着固定されるようにすることができる。
【００３９】
図８は、本発明に係る歯ブラシの更に他の実施例のヘッダー部位を抜粋した断面拡大図であって、これは、別途の射出成形などの方法で製作された弾性片５をヘッダー４に固定し、ヘッダー４の結合部４ａと弾性片５の固定部５ａを嵌合固定方式で製作する場合を示したものである。嵌合固定のために、結合部４ａ及び固定部５ａには嵌合溝と嵌合突起が圧入嵌合されるようにすることができ、このような場合、付随的に、ブラシ３が摩耗又は損傷する場合にブラシ３のみを交換して使用することができるという利点も得られる。
【００４０】
以上で説明した本発明は、上述した実施例及び添付の図面によって限定されるものではなく、本発明の技術的思想を逸脱しない範囲内で様々な置換、変形及び変更が可能であるということが、本発明の属する技術分野における通常の知識を有する者にとって明らかであろう。
【図１】
2018509275.tif 000003
【図２】
2018509275.tif 000004
【図３】
2018509275.tif 000005
【図４】
2018509275.tif 000006
【図５】
2018509275.tif 000007
【図６】
2018509275.tif 000008
【図７】
2018509275.tif 000009
【図８】
2018509275.tif 000010
【国際調査報告】
2018509275.tif 000011
2018509275.tif 000012
2018509275.tif 000013
2018509275.tif 000014